(57)【特許請求の範囲】
【請求項１】
無線通信装置の監視表示システムであって、
受信したデータを複数のビットで表示するビット配列表示部と、
各ビットに対応するデータの名称と、各ビットの値に対応して変換されたデータと、各ビットの値に対応する前記データの内容とを表示するデータ表示部と、
前記ビット配列表示部に表示された複数のビットと前記データ表示部に表示された前記データの内容とを結線により対応付けて表示する対応表示部と
を備えてなる無線通信装置の監視表示システム。
【発明の詳細な説明】
【０００１】
【発明の属する技術分野】
本発明は、通信機器間のバスを介して伝送されるデータをモニタ画面に表示させるための無線通信装置の監視表示システムに関するものである。
【０００２】
【従来の技術】
従来より、通信機器のバスを介して送受信されるデータをモニタ画面に表示させる無線通信装置の監視表示システムには種々のものがある。通常、送受信されるデータの通信方法はプロトコルなどによって決まっており、送受信されるデータのビット毎に割り振られるデータの意味は随時に決められている。したがって、監視表示システムは、送受信されるデータそのものをモニタ画面に表示するのみであり、そのデータのビット毎に割り振られたデータの意味は表示されることはない。このため、データが意味する部分は、インターフェース・仕様書や例えばインタネット上で公開されているＩＣＤ（Insider's Computer Dictionary：コンピュータ検索用語辞典）などの書類を参照して、モニタしたデータと比較しながら送受信されるデータを解読している。尚、ＩＣＤは、送受信されるデータとそのデータが持っている意味を対応付けするために通信回線を介して取得する用語辞典であり、通常は、モニタ画面に表示されたデータには書ききれない内容が書き表されている。
【０００３】
上記のような監視表示システムは、例えば、特開平１０−７８３７６号公報などに開示されている。この技術によれば、予め、車両の故障原因探索のために必要なモニタ項目を故障症状と関連づけて、バイト列の各ビット毎に割振って設定し、ＲＯＭなどに記憶しておく。これによって、故障症状に最も合致した症状の項目を選び出すことによって、故障原因の探索のために必要なモニタ項目が自動的に選び出される。そして、選択されたモニタ項目毎に書類として記録されている仕様書や修理マニュアルなどを参照して、必要な交換部品を決定したり必要な修理を行ったりしている。
【０００４】
【発明が解決しようとする課題】
しかしながら、上記のような従来の監視表示システムは、送受信されるデータやモニタ項目がモニタ画面に表示されるのみであって、表示されたデータやモニタ項目の意味する部分は仕様書やＩＣＤや修理マニュアルなどの書類を参照しないと分からない。そのため、モニタしたデータやモニタ項目と書類に記された詳細内容とを比較しながら送受信されるデータなどを解読している。ところが、書類を参照しながらモニタ画面に表示されたデータを読むためには、データ毎に詳細内容が記録されている仕様書やプリントアウトされた分厚いＩＣＤなどを持ち出してきて、モニタ画面に表示されたデータと見比べながらデータ内容を解読しなければならないため、作業効率が非常に悪くなってしまう。さらに、実際に表示されているモニタデータのどのビットがＩＣＤのどのビットに対応するのかが分かりづらく、且つ、ＩＣＤなどに記載された表記内容が難しい場合があり、データを読みなれていない者にとっては内容が読みにくいし誤読を生じやすい。
【０００５】
本発明はこのような事情に鑑みてなされたものであり、その目的は、通信データの形式がビット毎に意味の割り付けられているデータにおいて、モニタ表示されたデータ毎にデータ内容を対応づけて表示させることにより、モニタ表示された画面のみから複雑なデータを読み取れるような無線通信装置の監視表示システムを提供することにある。
【０００６】
【課題を解決するための手段】
上記の課題を解決するために、本発明は、無線通信装置の監視表示システムであって、受信したデータを複数のビットで表示するビット配列表示部と、各ビットに対応するデータの名称と、各ビットの値に対応して変換されたデータと、各ビットの値に対応する前記データの内容とを表示するデータ表示部と、前記ビット配列表示部に表示された複数のビットと前記データ表示部に表示された前記データの内容とを結線により対応付けて表示する対応表示部とを備えてなるものである。
【０００７】
このような構成によれば、通信データの形式がビット毎に意味の割り付けられているデータにおいて、モニタ表示されたデータ毎にデータ内容を対応づけて表示させることにより、モニタ表示された画面のみから複雑なデータを読み取れることとなる。
【０００８】
実施の形態においては、データの表示方法として、ビット毎にデータの意味が割り付けられているデータをモニタ画面に表示させるデータの表示方法において、通信機器間のバスを介して伝送されるデータをアドレスに基づいてビット配列して表示させるステップと、各々のデータの意味を個別に記録したテーブルを表示させるステップと、ビット配列されたビット毎のデータとテーブルに記録された各データの意味とを対応付けする線を表示させるステップとを経て、バスを介して伝送されるデータをモニタ画面に表示させるデータの表示方法についても示されている。
【０００９】
本発明のデータ表示方法によれば、バスを介して送受信されるデータを表示すると共に、そのデータのビット毎に割り振られたデータの意味も表示するようにしている。このときの表示方法は、受信したデータとこれに対応するデータの意味する部分とを線で連絡している。これによって、送受信したデータのどのビットがどのデータの意味を示しているのが一目で分かるようになっている。さらに、連続したデータの途中でもデータ値そのものを読みやすくするために、不規則な割付けにも対応できるような表記内容としている。例えば、１データを構成するビット毎に太線でくくって、そのデータの意味する部分との間で線を結んでいる。これによってどのようなビット割り付けであっても、所望のビットから線を辿って行けば該当するデータの意味を取得することができる。尚、任意に決められるデータに対しても対応できるように、モニタ画面と同じような画面から入力を行うことのできる入力装置を設けて、この入力装置から各自が所望のデータを入力することもできる。
【００１０】
【発明の実施の形態】
以下、本発明の実施の形態を図面を参照しつつ説明する。図１は、本発明に適用される監視表示システムの表示画面の一例である。図１に示す表示画面の例は、船舶や航空機に搭載された無線装置における試験診断のための表示画面や、無線装置を用いた船舶や航空機などに使用される監視表示システムの表示画面の表示内容を示している。このような監視表示システムでは、送信装置が故障しているのか、ノイズの影響などによって通信途中の電波状況が悪いのかなどの故障状況を表示することができ、送信(Ｔｘ：Transmit)と受信(Ｒｘ：Receive)とを別々のページとして切り替えて表示することができる。また、送受信に使用されるデータ内容を１６進データとし、この監視表示システムにて２進データに変換することによりビット毎の割り付けを行っている。
【００１１】
バスによって送受信されるデータは、アドレスによって管理されるタイプのものである。図１におけるモニタ画面１の例では、データ部３は１ワードを２進１６ビットの固定とし、アドレス部２はその前にヘッダとして付加されていて、これも固定である。受信されたデータは２進１６ビットの数値として表示されると共に、ＩＣＤなどの仕様内容も対応付けて表示されるようになっている。
【００１２】
図１のモニタ画面１の特徴についてさらに詳しく説明する。最上段のアドレス部２の表示項目は、一般的に表示される項目として、帯域（例えばＨＦ（High Frequency：高周波帯域））、モニタバスの名称ＡＢＣＤＥＦＧ、ＲＴNo.（RadioTelephony No.：無線電話番号）、Ｔｘ（Transmit：送信内容）、ＳＢ（Synchronization Bit：同期ビット）、ＷＢNo.（Wide Band：広帯域No.）などが表示される。このモニタ画面の例はＴｘ（送信）の場合であるが、受信の場合は、Ｔｘの項目のところがＲｘ（Receive：受信内容）に変わる。
【００１３】
その下のデータ部３の表示項目には、モニタした受信データがビット毎に並べられる。この場合、データを見やすいようにするために、受信データの１６進表示を２進表示に変換して読み替えやすいように横に並べられている。図の例では、１６進データ“００００”の下に、２進データのバイト列が４ビット毎の配列で１６ビット配列されている。つまり、送受信に使用されるデータ内容を１６進データとし、監視表示システムにて２進データへの変換をしてからビット毎の割り付けを行っている。さらに、２進数表示では、ビット毎に並べられたデータは、１ビットで１データが構成されたものもあれば、２ビットや３ビットで１データが構成されたものもあり、１ビットに対して１本の太線で結ばれることでデータ長を示している。したがって、図に示すように、３ビットで構成されたデータは３ビット分の長さの太線が表示され、２ビットで構成されたデータは２ビット分の長さの太線が表示され、１ビットで構成されたデータは１ビット分の長さの太線が表示されている。
【００１４】
また、画面の右側部分には、船舶や航空機などの走行状態（Running Status）における各データのデータ名称や仕様内容がテーブル４として表示されている。このようなテーブル４は、ビット毎のデータとそのデータの意味を示す仕様内容（いわゆるスペック）などとを対応づけするためのＩＣＤに相当するものである。したがって、図１に示すように、データ部３の２進表示のビット毎の受信データと、テーブル４に表示されている受信データに対応するデータの意味とが線によって結ばれている。これにより、受信データのどのビットがどのデータの意味を示しているのが一目で分かるようになっている。テーブル４には、受信データの「データ名称（タイトル）」や「データ」や「内容（スペック）」が表示される。つまり、このテーブル４には、従来ＩＣＤなどに表示されていたデータの詳細な内容などが表示される。尚、テーブル４の「データ」の項目は、受信データをスペックに合わせて変換して表示することができる。
【００１５】
モニタ画面１をこのように表示することにより、データ部３の２進表示データの左から３ビット分が、テーブル４の「データ名称」で“無線機モード”を表示しているということが分かる。また、そのデータの３ビットが“０００”の時は何を表しているのかは、従来のようにＩＣＤを参照しなくても、テーブル４の一番右側にある「内容（スペック）」の部分を見て、“Ｔ/Ｒ”（Transmit/Receive：送信/受信）を示していることがわかる。同様にして、左から３ビット分が“００１”のときは“Ｔ/Ｒ＋Ｇ”（送信）、“０１０”のときは“ＤＡＴＡ”(受信)、“０１１”のときは“ＤＡＴＡ＋Ｇ”（送受切替）、“１１１”のときは“初期状態”を示していることが分かる。
【００１６】
また、データ部３の２進表示データの左から４ビット目、５ビット目、６ビット目は１ビットで１データを表し、テーブル４とそれぞれ線で結ばれたデータ内容を示している。さらに、２進データの“１”、“０”の意味もテーブル４の「内容（スペック）」の項目のところで示されている。同様に、データ部３の２進表示データの左から７，８ビット目は２ビットで１データを表し、テーブル４と線で結んだところにそれぞれ「データ名称」、「データ」、「内容（スペック）」の意味を示している。以下、同様にして、データ部３における２進表示データの各ビット毎のデータについては、テーブル４の線で結ばれた位置からそれぞれのデータの意味を読み取ればよい。尚、データ部３の２進データの右端から３ビット分はデータの未使用状態を示し、テーブル４の各項目欄は空白となっている。
【００１７】
次に、図１に示す監視表示システムの表示画面における各部分ごとについて詳細に説明をする。図２は、図１に示す表示画面の左上にあるデータ部３の詳細図面である。図２において、受信データのデータ部は、ワードデータを１６進と２進で表示している。上段にはワードデータを１６進表示で示し、中段の白いボックスにはワードデータを２進表示で示しており、２進表示は１ボックスで１ビットを表している。尚、１６進表示の１ビット毎に２進表示の４ビットがくくってある。さらに、最下段には１データ毎のビットグループを太線でまとめてある。したがって、太線毎にそれぞれのデータの意味を表している。図の例では、２進データの左から３ビット分が太線でまとめられており、１データの内容を示している。さらに、左から４ビット目は１ビット分だけ太線となっているので、１ビットで１データの内容を示している。以下、同様に太線でまとめたビット毎に１データずつがまとめられている。また、右端から３ビット分はデータの未使用領域として前記太線の色とは異なる色のボックスで表している。
【００１８】
図３は、図１に示す表示画面の右側部分のテーブル４における各データのデータ名称や仕様内容を示す詳細図面である。図３のテーブルにおいて、 画面右側から順に、ＩＣＤに記載されたデータ名称を表す「データ名称」、データ名を表す「データ」、ＩＣＤに記載されたデータの意味を表す「内容（スペック）」をそれぞれ表示している。各データ項目毎について、「データ名称」、「データ」、「内容」の横1列でlつのデータの意味を表し、それぞれのデータ項目が、図２に示すように２進表示された受信データの対応するビットデータと線で結ばれて表示されている。
【００１９】
このとき、図３のテーブルには、ＩＣＤの記録内容に基づいて、「データ名称」の欄や「内容」の欄が表示される。また、「データ」の欄は、ＩＣＤの記載内容に従って受信データを変換して表示している。例えば、テーブルの「データ名称」が“器材状態２”の場合、「内容」の欄の２進表示のビットデータが“０”のときは「データ」の欄には“ＧＯ”が表示され、“１”のときは“サブシステム故障”が表示される。また、「データ名称」が“器材テスト”の場合のように２ビットで１データを表示するときは、「内容」の欄に示すように、“００”のときは“テスト結果無効”、“０１”のときは“テスト中”、“１０”のときは“テスト終了（結果有効）”などと云うように「データ」の欄に表示される。尚、データの未使用な項目は濃いグレー色で空白欄としてある。
【００２０】
また、本発明は、任意に決められるデータに対して対応できるように、図１に示す監視表示システムの表示画面と同じような画面から入力を行うことのできる入力装置を設けて、この入力装置から各自が所望のデータを入力することができるようになっている。図４は、図１に示す監視表示システムの表示画面に任意のデータを入力するための入力装置の初期画面を示す図である。また、図５は、図４に示す入力装置に或るデータを入力した画面の一例を示す図である。
【００２１】
先ず、図４に示すような、冶具となる入力装置の初期画面を表示させる。この初期画面は図１に示す監視表示システムの表示画面（モニタ画面）と似たような画面であり、任意のデータを入力することが可能である。ここで、入力されたデ-タはファイルに落とされ、監視表示システムではそのファイルからデータを読み出して図１のように表記する。「器材名称」の欄に“帯域（例えばＨＦ）”、「Word No.」の欄に“０”、「ワード総数」の欄に“２０”などを選択入力する。また、アドレスは「ワード総数」欄のところで指定する。
【００２２】
「Bit Title」欄は２進数の１６ビット分のエリアを用意するが、ＩＣＤに合わせて自由にエリアの幅を変えたり、表示を消して使用しないビットにすることもできる。１６ビット全てを使用する場合は、Bit0〜bit15のすべての欄にチェックを入れる。「Bit Title」に入力する名称は、図1に示すテーブル４の「データ名称」欄に記されたようなデータの名称である。また、「Bit内容」欄は、図1に示す「内容（スペック）」欄に記されたようなビット毎に機能する内容を入力する。例えば、図５のbit４の“スケルチ制御”欄に該当する「Bit内容」項目で、“０＝スケルチＯＦＦ”、“１＝スケルチＯＮ”を入力すると、図１のモニタ画面１のテーブル４における４ビット目に線が結ばれたところの「内容」欄に、“０＝スケルチＯＦＦ”、“１＝スケルチＯＮ”が表示される。尚、図５の画面右側のＩＣＤNo.群の欄は、データをリンクさせるためのNo.を入力するエリ
アである。
【００２３】
このようにして、冶具となる入力装置を用いて、図４に示す初期画面より図５に示すようなデータを入力すると、図１に示すようなモニタ画面が得られる。すなわち、オペレータが、入力装置より、図５に示すような種類の「Bit Title」や「Bit内容」を入力すると、受信データにおける２進表示データの対応するビット毎に入力されたデータ内容が線で結ばれ、結果的に図１に示すようなモニタ画面が作成される。つまり、任意に決められるデータに対しても対応できるように、入力装置によって各自が所望のデータを入力することにより、任意の受信データのビット毎に割り振られたデータの意味も表示することができる。
【００２４】
以上述べた実施の形態は本発明を説明するための一例であり、本発明は、上記の実施の形態に限定されるものではなく、発明の要旨の範囲で種々の変形が可能である。上記の実施の形態は航空機などに搭載した無線装置の各データをモニタ表示する場合について述べたが、これに限ることはなく、例えば、各種機器の故障解析のモニタ表示やシミュレーション表示などにも応用することができる。
【００２５】
【発明の効果】
以上説明したように、本発明は、送信データと、該送信データを受信し受信データとして監視する監視手段と、該監視手段により送受信の状態を表示する表示手段とを有する無線通信装置の監視表示システムにおいて、前記送信データには、予め任意のフォーマットとして任意に定めたビットアドレスに基づいて各種データの内容を割り当て、前記監視手段は、前記受信データに基づいて前記ビットアドレスに位置する各種データの状態を判定し、該判定した結果を当該ビットアドレスの位置に表示するとともに、判定の内容を当該ビットアドレスが示す位置に表示するようにしたため、通信データの形式がビットで意味を割り付けられるようなデータの場合、データと仕様書やＩＣＤなどの書類に記載された内容とを個別に対比しなくても、モニタ画面上にデータと仕様書やＩＣＤの内容とが対応づけられて表示される。したがって、監視表示システムの他に仕様書やＩＣＤなどを用意する必要がなくなり、且つ、複雑なデータも読みやすくなる。これにより、熟練者以外の者でも監視表示システムを利用することができ、もって、汎用性のある監視表示システムを構築することができる。
【図面の簡単な説明】
【図１】本発明に適用される監視表示システムの表示画面の一例である。
【図２】図１に示す表示画面の左上にあるデータ部の詳細図面である。
【図３】図１に示す表示画面の右側部分のテーブルにおける各データのデータ名称や仕様内容を示す詳細図面である。
【図４】図１に示す監視表示システムの表示画面に任意のデータを入力するための入力装置の初期画面を示す図である。
【図５】図４に示す入力装置にあるデータを入力した画面の一例を示す図である。
【符号の説明】
１  モニタ画面
２  アドレス部
３  データ部
４  テーブル
【図１】
0003964653.tif 000002
【図２】
0003964653.tif 000003
【図３】
0003964653.tif 000004
【図４】
0003964653.tif 000005
【図５】
0003964653.tif 000006